(57)【特許請求の範囲】
【請求項１】
下端が尖鋭に形成された杭本体と、該杭本体を覆う筒状の外筒とを備えている杭であって、
前記杭本体の中間に鍔部が形成され、前記外筒が下端側のキャップと上端側のケースとに着脱自在に分割され、前記キャップがケースから外された状態で、該ケースの下端部の内周に前記杭本体の鍔部を繰り返し打ち付けるように当接する内向きの突条が形成されていることを特徴とする杭。
【請求項２】
前記ケースの下端部または両端部にネジが形成され、前記キャップの基端部にケースのネジと螺合するネジが形成されていることを特徴とする請求項１に記載の杭。
【請求項３】
前記キャップの下端部に、切込みおよび／または外筒の軸方向のスリットが形成されていることを特徴とする請求項１または２に記載の杭。
【請求項４】
前記杭本体の下端部に、前記ケースの内向きの突条と当接する突出部が設けられていることを特徴とする請求項１から３のいずれか一つに記載の杭。
【請求項５】
前記キャップの基端部は、前記ケース内に挿入され、前記杭本体の鍔部と当接するように縮径されていることを特徴とする請求項１ないし４のいずれか一つに記載の杭。
【請求項６】
前記杭本体の鍔部は、前記キャップの基端部に当接するようにテーパ状に形成されていることを特徴とする請求項５に記載の杭。
【請求項７】
前記杭本体の上部に、錘が取り付けられていることを特徴とする請求項１ないし６のいずれか一つに記載の杭。
【発明の詳細な説明】
【技術分野】
【０００１】
本発明は、作業者が掴める程度の大きさの杭に関し、詳しくは、下端が尖鋭に形成された杭本体と、この杭本体を覆う筒状の外筒とを備えている杭に関する。
【背景技術】
【０００２】
変電所などでは、メンテナンスなどの作業のため、いくつかの設備ごとに送電を停止している。したがって、メンテナンスなどの作業をしている設備と隣り合わせで稼動している設備では、高圧電流が流れており、大変危険である。このため、稼動している設備の周囲には、立入り禁止の杭が打たれ、この杭内に侵入しないように注意を促すことによって安全を確保している。
【０００３】
杭は、打ち込みやすいように下端が尖鋭に形成され、上端部がハンマー型の打撃工具などで打たれることによって地面から地中に打ち込まれていく。そして、150cm前後の杭を打ち込むには、杭を支え持つ作業者と、打撃工具を打つ作業者の共同作業となる。しかし、共同作業は、効率が悪いだけでなく、打ち損じなどによって杭を支え持つ作業者が負傷することがあり、また、打撃工具の打ち方が不適切であると、杭の上端が欠けたり割れたりするという不具合がある。
【０００４】
このような不具合を解消するため、作業者が一人で杭を打ち込むことができるようにした杭打ち具が特許文献１に開示されている。この杭打ち具は、杭の上部に外嵌する直管状のハンマー筒と、このハンマー筒の外面に固定される少なくとも一対のハンドル棒と、ハンマー筒の上端開口を塞ぐストライカーとを備えている。この杭打ち具は、ハンマー筒が杭の上部を外嵌した状態で、作業者がハンドル棒を掴みながら全体を繰り返し打ち降ろすことにより、ストライカーが杭の上端面を打ち付け、杭が地面から地中に打ち込まれる。
【０００５】
【特許文献１】実開平７−２５０３６号公報
【発明の開示】
【発明が解決しようとする課題】
【０００６】
変電所などで使用される杭は、ある設備の周囲から別の設備の周囲へ打ち換えられる。この打ち換えに際して、杭が搬送されるが、尖鋭な下端部が露出するため、危険な状態となる。また、特許文献１に開示された杭打ち具は、ハンドルが作業者の肘あたりに位置している間は、杭を打ち込みやすいものの、杭が地中に打ち込まれるにつれ、次第に打ち込みにくくなるという不具合がある。
【０００７】
そこで、本発明は、下端部が先鋭でも安全に搬送することができ、また、打込みの作業性を向上させた杭を提供することを課題とする。
【課題を解決するための手段】
【０００８】
本発明に係る杭は、下端が尖鋭に形成された杭本体と、該杭本体を覆う筒状の外筒とを備えている杭であって、前記杭本体の中間に鍔部が形成され、前記外筒が下端側のキャップと上端側のケースとに着脱自在に分割され、前記キャップがケースから外された状態で、該ケースの下端部の内周に前記杭本体の鍔部を繰り返し打ち付けるように当接する内向きの突条が形成されていることを特徴としている。
【０００９】
この杭によれば、下端が尖鋭に形成された杭本体と、この杭本体を覆う外筒とを備え、外筒がキャップとケースとに着脱自在に分割されることにより、保管中や搬送中は、キャップが杭本体の下端部に被さるようにケースの下端部に装着されるため、尖鋭な杭本体の下端が露出せず、安全性が確保される。そして、杭を地面から地中に打ち込むときは、キャップをケースから外し、尖鋭な杭本体の下端を露出させ、地面に突き刺す。そして、キャップをケースの上端部に装着し、あるいは装着しないで、ケースを繰り返し打ち降ろす。このとき、ケースの下端部の内周に内向きに形成された突条が杭本体の鍔部を繰り返し打ち付け、杭本体の下端側が地面から地中に打ち込まれる。
【００１０】
なお、キャップがケースの上端部に装着されると、杭は、杭本体がケースの下端部から突出している長さとケースの長さとキャップの長さとが加算された長さとなり、杭本体の下端側が地中に埋め込まれた状態において、ケースの長さとキャップの長さとを加算した長さ分地面から突出した状態となる。
【００１１】
また、前記本発明に係る杭において、前記ケースの下端部または両端部にネジが形成され、前記キャップの基端部にケースのネジと螺合するネジが形成されていることが好ましい。
【００１２】
この杭によれば、ケースとキャップとにネジが形成されることにより、キャップをケースから容易かつ確実に着脱することができる。なお、キャップをケースの上端部にも装着するときは、ケースの両端部にネジが形成され、キャップをケースの上端部に装着しないときは、ケースの下端部にのみネジが形成される。
【００１３】
また、前記本発明に係る杭において、前記キャップの下端部に、切込みおよび／または外筒の軸方向のスリットが形成されていることが好ましい。
【００１４】
この杭によれば、キャップをケースの上端部に装着した杭が複数、地面から地中に打ち込まれた状態で、杭の上端に位置しているキャップの切込みにネットを引っ掛けるようにすることができる。また、キャップをケースの上端に装着した杭が複数であっても１本であってもスリットに板状の標識を挿し込むことができる。
【００１５】
また、前記本発明に係る杭において、前記杭本体の上端部に、前記ケースの内向きの突条と当接する突出部が設けられていることが好ましい。
【００１６】
この杭によれば、杭本体の上端部に突出部が設けられていることにより、杭本体がケースの下端側へ引き出されても、突出部がケースに形成された内向きの突条に当接することによって、抜け出ないようにすることができる。また、地中に打ち込まれた杭本体は、ケースの突条が杭本体の突出部を押し上げることによって、引き抜くことができる。
【００１７】
また、前記本発明に係る杭において、前記キャップの基端部は、前記ケース内に挿入され、前記杭本体の鍔部と当接するように縮径されていることが好ましい。
【００１８】
この杭によれば、キャップがケースの下端部に挿入されている状態において、キャップの縮径された基端部が杭本体の鍔部に当接し、この鍔部がキャップの基端部とケースの突条とに挟まれる状態となるため、杭本体は搬送中において外筒内で揺れ動くことがなく、ガタガタといったような騒音が発生しないようにすることができる。
【００１９】
また、前記本発明に係る杭において、前記杭本体の鍔部は、前記キャップの基端部に当接するようにテーパ状に形成されていることが好ましい。
【００２０】
この杭によれば、鍔部がテーパ状とされることにより、キャップの基端部がケース内に挿入され、テーパ状の鍔部に確実に当接する。換言すれば、キャップの基端部がテーパ状の鍔部に当接するまでケースの下端部に挿入するようにすることができる。
【００２１】
また、前記本発明に係る杭において、前記杭本体の上部に、錘が取り付けられていてもよい。
【００２２】
この杭によれば、杭本体に錘が取り付けられていることにより、杭本体が重くなり、杭本体を地面から地中に打ち込む力が大きくなるため、ケースを打ち降ろすごとに杭本体が深く突き刺さるようにすることができる。
【発明の効果】
【００２３】
本発明によれば、杭が杭本体と外筒とを備え、外筒がキャップとケースとに着脱自在に分割され、キャップが杭本体の尖鋭に形成された下端に被さるため、杭を保管しているときや搬送しているときなどにおいて、尖鋭な下端が人などに突き刺さるようなことがなく安全性を確保することができる。
【００２４】
また、杭本体の先端が地面に突き刺された状態で、杭本体に設けられた鍔部に、ケースの下端部の内周に形成された突条が繰り返し打ち降ろされることにより、打撃工具を使用しなくても、杭本体を地面から地中に打ち込むことができる。しかも、突条はケースの下端部に形成されているため、作業者はケースの上側を持って杭本体を地中に打ち込むことができ、杭を打ち込む作業の効率を向上させることができる。
【発明を実施するための最良の形態】
【００２５】
本発明に係る杭の一実施形態について、図１ないし図５を参照しながら説明する。この杭は、図１に示すように、杭本体１０と、この杭本体１０を覆う外筒２０とを備えている。
【００２６】
杭本体１０は、下端が尖鋭に形成され、中間に鍔部１１が形成され、さらに、上端および上端付近に突出部１２，１２が形成されている。鍔部１１の上面は、平坦に形成されるが、鍔部１１の下面は、図２に示すように上面と平行に平坦に形成されていもよいし、図３に示すようにテーパ状に形成されてもよい。
【００２７】
また、突出部１２は、鍔状に形成されていてもよいし、１か所または２か所以上で突出するような突片であってもよい。さらに、杭本体１０の上端、例えば２か所の突出部１２，１２間に錘１３が取り付けられていてもよい。
【００２８】
一方、外筒２０は、前記杭本体１０の下端側に被さるキャップ３０と、上端側を覆う筒状のケース４０とに着脱自在に分割されている。キャップ３０は、筒体３１の先端縁に端板３２が固定され、筒体３１の先端縁付近内に仕切板３３が固定された構成となっている。
【００２９】
このキャップ３０の下端部には、図４に示すように、板状の標識２１（図５参照）を挿し込むための一対のスリット３４が形成され、このスリット３４に交差する方向に一対のピンホール３５が形成され、さらに、このピンホール３５よりも基端側にロープを引っ掛けるための切込み３６が形成されている。ただし、スリット３４およびピンホール３５と切込み３６とは、用途により、いずれかだけ形成するようにしてもよい。
【００３０】
そして、キャップ３０の基端部は、ケース４０内に挿入されるように縮径され、雄ネジ３７が形成されている。この雄ネジ３７は、大きな荷重に耐えることができ、潰れにくい角ネジとされている。ただし、この雄ネジ３７は、砂などの微紛が入るおそれのある用途に好適な丸ネジ、その他のネジとしてもよい。さらに、キャップ３０の基端縁は、雄ネジ３７が形成されていないカップリング部３８とされている。
【００３１】
また、ケース４０は、前記杭本体１０の鍔部１１から上端縁までの長さよりも長い筒状であり、両端の内周に前記キャップ３０の雄ネジ３７と噛み合う雌ネジ４７，４７が形成され、下端部の内周に前記杭本体１０の鍔部１１に当接する内向きの突条４１が形成されている。この突条４１は、鍔部１１の上面のほぼ全面に当接するように環状に形成されることが好ましいが、２以上の突出部としてもよい。
【００３２】
そして、ケース４０の下端部外側には、下向Ｌ字形のフック４２が突設されている。ただし、このフック４２は、横向きＪ字形など形状を特定するものではない。
【００３３】
この実施形態における杭は、以上のように構成され、次に、変電所でメンテナンス作業するときのように、一定期間のみ使用される場合について説明する。
【００３４】
この杭を保管ないし搬送するときは、図１に示すように、ケース４０の下端部にキャップ３０の基端部を装着し、杭本体１０の下端側がキャップ３０によって被せられている。したがって、杭本体１０の下端が尖鋭であっても、人などに突き刺さることがなく、安全性が確保されている。
【００３５】
また、ケース４０に装着されたキャップ３０の基端部は、図２に示すように、ケース４０内に挿入され、杭本体１０の鍔部１１の下面に当接し、この鍔部１１の上面がケース４０の突条４１と当接している。特に、鍔部１１の下面が図３に示すように、テーパ状に形成されていると、キャップ３０の基端縁が鍔部１１の下面のテーパ面に当接するまで、キャップ３０の基端部をケース４０の下端部にねじ込まれるため、杭本体１０の鍔部１１がキャップ３０の基端縁とケース４０の突条４１とに挟まれる状態となる。
【００３６】
したがって、この杭の搬送中に、杭本体１０が筒体３１内で揺れ動くことがなく、ガタガタというような騒音が発生しない。さらに、ケース４０とキャップ３０とは、雌ネジ４７と雄ネジ３７とが噛み合って装着されているため、搬送中にキャップ３０がケース４０から外れることもない。
【００３７】
そして、高圧電流が流れている危険な設備の周囲において、キャップ３０をケース４０から外す。両者は雄ネジ３７と雌ネジ４７とによって装着されているだけであるため、キャップ３０を回すだけでケース４０から外すことができ、杭本体１０の先端側が露出する。
【００３８】
外されたキャップ３０は、図５に示すようにケース４０の上端部に装着する。すなわち、キャップ３０の基端部に形成された雄ネジ３７をケース４０の上端部に形成された雌ネジ４７に螺合する。このとき、キャップ３０の基端部のカップリング部３８がケース４０の上端部よりも下側に深く挿入されるため、キャップ３０は、安定した姿勢を維持する。
【００３９】
そして、杭本体１０の下端を地面に突き刺し、杭本体１０を鉛直姿勢とし、ケース４０とキャップ３０とが連結された外筒２０を鉛直下向に繰り返し打ち付ける。すると、ケース４０の突条４１が杭本体１０の鍔部１１を下方に打ち付け、杭本体１０の下端側が地中に打ち込まれていく。
【００４０】
杭本体１０の下端が尖鋭に形成されていることにより、杭本体１０の下端側はスムーズに地中に埋め込まれる。また、杭本体１０に錘１３が取り付けられていると、この錘１３の重さによっても、杭本体１０が地中に食い込んでいく。そして、打ち込まれた杭の高さは、ケース４０にキャップ３０を連結した筒体３１の長さとされている。すなわち、この杭は、杭本体１０だけの長さよりも高くされている。
【００４１】
このような杭のキャップ３０の先端縁に形成されたスリット３４には、図５に示すように、板状の標識２１が挿し込まれる。この標識２１の下部には小孔が形成されており、ピン２３がキャップ３０に形成された一方のピンホール３５からこの小孔を突き抜け、他方のピンホール３５に架け渡され、標識２１がスリット３４から抜け出ないようにされる。
【００４２】
また、多数の杭が打たれた状態において、キャップ３０の切込み３６とケース４０のフック４２とにネット２２の上縁と下縁を引っ掛け、ネット２２が張られる。ただし、標識２１とネット２２は、状況に合わせていずれか一方のみ使用してもよい。いずれにしても、この杭によって、杭内が高圧で危険であること知らされる。
【００４３】
そして、メンテナンスなどの作業が終了し、高圧電流が流れている危険な設備が変更されるときは、標識２１やネット２２を外し、杭を地中から引き抜く。このとき、まず、キャップ３０をケース４０から外し、筒体３１の軽量化を図る。そして、ケース４０を上向に突き上げる。すると、ケース４０内の突条４１が杭本体１０の突出部１２に衝突し、杭本体１０が引き上げられ、地中から引き抜かれる。
【００４４】
引き抜かれた杭本体１０の先端側は、前記のようにキャップ３０が被せられ、キャップ３０がケース４０に装着された状態で搬送され、他の危険な設備の周囲に打ち込まれ、あるいは、保管される。
【００４５】
なお、本発明は、前記実施の形態に限定することなく特許請求の範囲に記載された発明特定事項の範囲内において種々変更することができる。例えば、杭は、変電所で危険な設備を表示するためだけに使用されるものではなく、テントを張るために使用したり、グラウンドなどで適宜張られる簡単なネット２２を固定するために使用したりしてもよい。
【００４６】
また、キャップ３０に雌ネジ４７を形成し、ケース４０の両端部に雄ネジ３７を形成してもよい。さらに、キャップ３０とケース４０とを着脱自在に装着するため、キャップ３０またはケース４０のいずれか一方にＪ字形の切込みを形成し、他方にこの切込みに係入するピンを形成したものとしてもよい。そして、使用方法として、標識２１やネット２２などを使用しないときは、キャップ３０をケース４０の上端に装着しないようにすることもできる。
【図面の簡単な説明】
【００４７】
【図１】本発明に係る杭の一実施形態であって、杭本体がキャップに被さっているときの断面図である。
【図２】本発明に係る杭の一実施形態の要部拡大断面図である。
【図３】本発明に係る杭の前記と異なる実施形態の要部拡大断面図である。
【図４】本発明に係る杭を構成しているキャップの一部拡大断面図である。
【図５】本発明に係る杭の一実施形態であって、杭本体がキャップに被さっているときの断面図である。
【符号の説明】
【００４８】
１０…杭本体
１１…鍔部
１２…突出部
１３…錘
２０…外筒
３０…キャップ
３４…スリット
３６…切込み
３７…雄ネジ（ネジ）
４０…ケース
４１…突条
４７…雌ネジ（ネジ）
【図１】
0004566117.tif 000002
【図２】
0004566117.tif 000003
【図３】
0004566117.tif 000004
【図４】
0004566117.tif 000005
【図５】
0004566117.tif 000006